(57)【要約】  ハンドオーバ（ＨＯ）ベースの１ｘＣＳＦＢのためのコントローラ及び方法はセルラー式通信システムにおいて、発呼者番号（ＣＰＮ）をユーザ機器（ＵＥ）に通信する。第１のソリューションは、移動通信交換局（ＭＳＣ）を介して対象の基地局制御装置（ＢＳＣ）に送られるＣＰＮを相互動作可能な仕様（ＩＯＳ）のＨＯメッセージに加えるインターワーキングソリューション（ＩＷＳ）を提供する。第２のソリューションは、ＩＷＳがエアインタフェースＨＯメッセージでＣＰＮを送信し、ＵＥが対象の無線アクセスネットワークへ移行し、トラフィックチャネルを獲得するまでＣＰＮを格納することを提供する。第３のソリューションは、ＩＷＳがページングメッセージを用いてＭＳＣからＣＰＮを受信し、ＵＥが対象の無線アクセスネットワークへ移行し、トラフィックチャネルを獲得するまでＣＰＮを格納することを提供する。第４のソリューションは、ＭＳＣから対象の無線アクセスネットワークにＡＷＩメッセージを送信することを提供する。第５のソリューションは、ユーザに３Ｇ／４Ｇのセルラー式通信を離れる前に呼を承認するかどうかを決めさせるためにページングメッセージの前に、ＵＥにデータトンネリングされた特徴通知メッセージ（ＦＮＭ）を介してＩＷＳがＣＰＮを送信することを提供する。
2013529034.tif 000002
【特許請求の範囲】
【請求項１】
セルラー式通信システムにおいて１ｘ回線交換フォールバックモバイルターミネーションを実行するための方法であって、前記方法は、
インターワーキングソリューションにおいて、パケット交換ネットワークを使用するソース無線アクセスネットワークから回線交換ネットワークを使用する対象の無線アクセスネットワークへのユーザ機器のフォールバックを検出することと、
発呼者番号を前記ユーザ機器に通信することとを備える方法。
【請求項２】
前記発呼者番号を前記ユーザ機器に通信することは更に、移動通信交換局を介して前記インターワーキングソリューションから前記対象の無線アクセスネットワークへ送信される相互動作可能な仕様のハンドオーバメッセージに前記発呼者番号を加えることと、
発呼者番号を有する１ｘレイヤ３メッセージを前記ユーザ機器に送信することと
を備える請求項１に記載の方法。
【請求項３】
前記発呼者番号を前記ユーザ機器に通信することは更に、前記ユーザ機器が１ｘへ移行し、トラフィックチャネルを獲得するまで前記ユーザ機器において格納するために、前記ユーザ機器にデータトンネリングを介して送信される前記インターワーキングソリューションによるチャネル割り当て用の１ｘレイヤ３メッセージを用いて前記発呼者番号を送信することを備える請求項１に記載の方法。
【請求項４】
前記発呼者番号を送信することは更に、１ｘハンドオフメッセージと同時に、包括的回線サービス通知アプリケーションのデータトンネリングを介して前記発呼者番号を有する１ｘレイヤ３メッセージを送信することを備える請求項３に記載の方法。
【請求項５】
前記発呼者番号を前記ユーザ機器に通信することは更に、
前記インターワーキングソリューションにおいて移動通信交換局から前記発呼者番号を有するページングメッセージを受信することと、
ページングマッチを実行するために前記ユーザ機器に包括的回線サービス通知アプリケーションのデータトンネリングを介して前記発呼者番号を有する１ｘレイヤ３メッセージ及び前記ページングメッセージを同時に送信し、前記発呼者番号を有する前記１ｘレイヤ３メッセージを処理し、トラフィックチャネルが１ｘネットワークにおいて割り当てられた後にディスプレイするために前記発呼者番号を格納することと
を備える請求項１に記載の方法。
【請求項６】
前記発呼者番号を前記ユーザ機器に通信することは更に、接続メッセージを受信する前に、１ｘ回線交換フォールバック手順の一部としてのハンドオーバの実行に応じて移動通信交換局から前記対象の無線アクセスネットワークへ前記発呼者番号を有する情報付きアラートを送信することと、
発呼者番号を有する１ｘレイヤ３メッセージを前記ユーザ機器に送信することと
を備える請求項１に記載の方法。
【請求項７】
前記移動通信交換局は、回線交換フォールバック及び元来の回線交換動作の両方の間に前記発呼者番号を有する前記情報付きアラートを送信する請求項６に記載の方法。
【請求項８】
前記発呼者番号を前記ユーザ機器に通信することは更に、
前記インターワーキングソリューションにおいて移動通信交換局から前記発呼者番号を有するメッセージを伴うページングメッセージを受信することと、
第１に前記ユーザ機器に包括的回線サービス通知アプリケーションのデータトンネリングを介して前記発呼者番号を有する１ｘレイヤ３メッセージを送信し、前記１ｘレイヤ３メッセージを処理し、前記発呼者番号を用いてアラートすることと、
ユーザがモバイルでターミネートされる呼を承認する場合に前記インターワーキングソリューションへ別の１ｘレイヤ３メッセージを送信することと、
前記ユーザ機器が前記発呼者番号の承認を示すことに応じて肯定応答するために、前記ユーザ機器に包括的回線サービス通知アプリケーションのデータトンネリングを介して１ｘレイヤ３ページングメッセージを送信することと
を備える請求項１に記載の方法。
【請求項９】
セルラー式通信システムにおいて１ｘ回線交換フォールバックモバイルターミネーションを実行するための少なくとも１つのプロセッサであって、前記少なくとも１つのプロセッサは、
インターワーキングソリューションにおいて、パケット交換ネットワークを使用するソース無線アクセスネットワークから回線交換ネットワークを使用する対象の無線アクセスネットワークへのユーザ機器のフォールバックを検出するための第１のモジュールと、
発呼者番号を前記ユーザ機器に通信するための第２のモジュールと
を備える少なくとも１つのプロセッサ。
【請求項１０】
セルラー式通信システムにおいて１ｘ回線交換フォールバックモバイルルターミネーションを実行するためのコンピュータプログラム製品であって、前記コンピュータプログラム製品は、
コンピュータに、インターワーキングソリューションにおいて、パケット交換ネットワークを使用するソース無線アクセスネットワークから回線交換ネットワークを使用する対象の無線アクセスネットワークへのユーザ機器のフォールバックを検出させるための第１のセットのコードと、
前記コンピュータに、発呼者番号を前記ユーザ機器に通信させるための第２のセットのコードと
を備える非トランジトリなコンピュータ読み取り可能記憶媒体
を備えるコンピュータプログラム製品。
【請求項１１】
セルラー式通信システムにおいて１ｘ回線交換フォールバックモバイルルターミネーションを実行するための装置であって、前記装置は、
インターワーキングソリューションにおいて、パケット交換ネットワークを使用するソース無線アクセスネットワークから回線交換ネットワークを使用する対象の無線アクセスネットワークへのユーザ機器のフォールバックを検出するための手段と、
発呼者番号を前記ユーザ機器に通信するための手段と
を備える装置。
【請求項１２】
セルラー式通信システムにおいて１ｘ回線交換フォールバックモバイルルターミネーションを実行するための装置であって、前記装置は、
インターワーキングソリューションにおいて、パケット交換ネットワークを使用するソース無線アクセスネットワークから回線交換ネットワークを使用する対象の無線アクセスネットワークへのユーザ機器のフォールバックを検出するためのコントローラと、
発呼者番号を前記ユーザ機器に通信するためのネットワークインタフェースと
を備える装置。
【請求項１３】
前記ネットワークインタフェースは、更に、移動通信交換局を介して前記インターワーキングソリューションから前記対象の無線アクセスネットワークへ送信される相互動作可能な仕様のハンドオーバメッセージに前記発呼者番号を加えることによって、前記ユーザ機器に前記発呼者番号を通信するための、ならびに発呼者番号を有する１ｘレイヤ３メッセージを前記ユーザ機器に送信するためのものである請求項１２に記載の装置。
【請求項１４】
前記ネットワークインタフェースは更に、前記ユーザ機器が１ｘへ移行し、トラフィックチャネルを獲得するまで前記ユーザ機器において格納するために、前記ユーザ機器にデータトンネリングを介して送信される、インターワーキングソリューションにより発呼者番号を送信することによって、チャネル割り当て用の１ｘレイヤ３メッセージを用いて前記発呼者番号を前記ユーザ機器に通信するためのものである請求項１２に記載の装置。
【請求項１５】
前記ネットワークインタフェースは更に、１ｘハンドオフメッセージと同時に包括的回線サービス通知アプリケーションのデータトンネリングを介して発呼者番号を有する１ｘレイヤ３メッセージを送信することによって前記発呼者番号を送信することによって前記発呼者番号を送信するためのものである請求項１４に記載の装置。
【請求項１６】
前記ネットワークインタフェースは更に、
前記インターワーキングソリューションにおいて移動通信交換局から前記発呼者番号を有するページングメッセージを受信することと、
ページングマッチを実行するために、前記ユーザ機器に包括的回線サービス通知アプリケーションのデータトンネリングを介して前記発呼者番号を有する１ｘレイヤ３メッセージ及び前記ページングメッセージを同時に送信し、前記発呼者番号を有する前記１ｘレイヤ３メッセージを処理し、トラフィックチャネルが１ｘネットワークにおいて割り当てられた後にディスプレイするために前記発呼者番号を格納することと
によって前記発呼者番号を前記ユーザ機器に通信するためのものである請求項１２に記載の装置。
【請求項１７】
前記ネットワークインタフェースは更に、接続メッセージを受信する前に、１ｘ回線交換フォールバック手順の一部としてのハンドオーバの実行に応じて移動通信交換局から前記対象の無線アクセスネットワークへ前記発呼者番号を有する情報付きアラートを送信することによって、ならびに発呼者番号を有する１ｘレイヤ３メッセージを前記ユーザ機器に送信することによって前記発呼者番号を前記ユーザ機器へ通信するためのものである請求項１２に記載の装置。
【請求項１８】
前記移動通信交換局は、回線交換フォールバック及び元来の回線交換動作の両方の間に前記発呼者番号を有する前記情報付きアラートを送信する請求項１７に記載の装置。
【請求項１９】
前記ネットワークインタフェースは更に、
前記インターワーキングソリューションにおいて移動通信交換局から前記発呼者番号を有するメッセージを伴うページングメッセージを受信することと、
第１に前記ユーザ機器に包括的回線サービス通知アプリケーションのデータトンネリングを介して前記発呼者番号を有する１ｘレイヤ３メッセージを送信し、前記１ｘレイヤ３メッセージを処理し、前記発呼者番号を用いてアラートすることと、
ユーザがモバイルでターミネートされる呼を承認する場合に前記インターワーキングソリューションへ別の１ｘレイヤ３メッセージを送信することと、
第２に、前記ユーザ機器が前記発呼者番号の承認を示すことに応じて肯定応答するために、前記ユーザ機器に包括的回線サービス通知アプリケーションのデータトンネリングを介してページングメッセージを送信することと
によって前記発呼者番号を前記ユーザ機器に通信するためのものである請求項１２に記載の装置。
【発明の詳細な説明】
【米国特許法１１９条に基づく優先権の主張】
【０００１】
本特許出願は、「Ｍｅｔｈｏｄｓ  ａｎｄ  Ａｐｐａｒａｔｕｓ  ｆｏｒ  Ｃａｌｌｉｎｇ  Ｐａｒｔｙ  Ｎｕｍｂｅｒ  Ｄｉｓｐｌａｙ  Ｓｏｌｕｔｉｏｎｓ  ｆｏｒ  １ｘＣＳＦＢ」という名称の、２０１０年５月１８日に出願され、本発明の譲受人に譲渡され、本願に参照により明示的に組み込まれた仮出願第６１／３４５，８７５号に優先権を主張する。
【背景技術】
【０００２】
本開示は概して通信に関連し、特にワイヤレス通信ネットワークにおけるデータパケットの無線アクセス技術からトンネリングされた（ｔｕｎｎｅｌｅｄ）音声呼用の拡張されたサービス要求のための制限された再試行の試みについてのものである。
【０００３】
ワイヤレス通信システムは、音声、データなどのような様々なタイプの通信コンテンツを提供するために広く展開されている。これらのシステムは、利用可能なシステムリソース（例えば、帯域幅および伝送電力）を共有することによって、複数のユーザとの通信をサポートすることができる多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および、直交周波数分割多元接続（ＯＦＤＭＡ）システムを含む。
【０００４】
概してワイヤレス多元接続通信システムは複数のワイヤレス端末のための通信を同時にサポートできる。それぞれの端末は、順方向および逆方向リンク上の伝送を介して１つ又は複数の基地局と通信する。順方向リンク（あるいはダウンリンク）は、基地局から端末への通信リンクを指し、逆方向リンク（あるいはアップリンク）は、端末から基地局への通信リンクを指す。この通信リンクは、単一入力単一出力、多入力単一出力、又は、多入力多出力（ＭＩＭＯ）システムを介して確立され得る。
【０００５】
ユニバーサルモバイル通信システム（ＵＭＴＳ）は、第３世代（３Ｇ）携帯電話技術の１つである。ＵＭＴＳ地上無線アクセスネットワークの略称である、ＵＴＲＡＮは、ＵＭＴＳの無線アクセスネットワークを構成する無線ネットワークコントローラ（ＲＮＣｓ）及びノードＢ用の集合的な用語である。この通信ネットワークは、リアルタイムの回線交換からＩＰベースのパケット交換まで多くのトラフィックのタイプを搬送できる。ＵＴＲＡＮはＵＥ（ユーザ機器）とコアネットワークとの間の接続を可能にする。ＵＴＲＡＮは、ノードＢと呼ばれる基地局及びＲＮＣを含む。ＲＮＣは１つ又は複数のノードＢに制御機能性を提供する。典型的な実装は複数のノードＢにサービスを提供する中央局に位置する別個のＲＮＣを有するけれども、ノードＢ及びＲＮＣは、同じデバイスであり得る。それらは物理的には切り離されている必要はないという事実にも関わらず、それらの間にはＩｕｂとして知られる論理インタフェースが存在する。ＲＮＣ及びそれに対応するノードＢは、無線ネットワークサブシステム（ＲＮＳ）と呼ばれる。ＵＴＲＡＮに在るのは１つよりも多いＲＮＳであり得る。
【０００６】
（ＩＭＴマルチキャリア（ＩＭＴ  ＭＣ）としても知られる）ＣＤＭＡ２０００は、モバイル電話とセルサイトの間で音声、データ、及びシグナリングデータを送信するためにＣＤＭＡチャネルアクセスを使用する、３Ｇのモバイル技術標準規格のファミリである。標準規格のセットは、ＣＤＭＡ２０００  １Ｘ、及びＣＤＭＡ２０００  １ｘ  ＥＶ−ＤＯを含む。全てはＩＴＵのＩＭＴ−２０００用の承認された無線インタフェースである。ＣＤＭＡ２０００は比較的長い技術的な歴史を有し、以前の２ＧイタレーションＩＳ−９５（ｃｄｍａＯｎｅ）と下位互換的である。
【０００７】
１ｘ及び１ｘＲＴＴとしても知られるＣＤＭＡ２０００  １Ｘ（ＩＳ−２０００）は、コアＣＤＭＡ２０００ワイヤレスエアインタフェース標準規格である。１倍の無線伝送技術を意味する「１ｘ」という表示は、ＩＳ−９５と同じＲＦ帯域幅、つまり、１．２５ＭＨｚの無線チャネルのデュプレックスペアを示す。１ｘＲＴＴは、６４個の最初のセットに直交する（直角位相にある）、６４個のトラフィックチャネルを順方向リンクに加えることによってＩＳ−９５の容量を約２倍にする。ＩＭＴ−２０００はまた、媒体及びリンクアクセス制御プロトコル、ならびにサービス品質（ＱｏＳ）を含んで、データサービスのより多くの使用のために、データリンクレイヤへの変更を行った。ＩＳ−９５のデータリンクレイヤは、データ用の「ベストエフォート配信」と音声用の回線交換チャネル（すなわち、２０ｍｓごとに1回の音声フレーム）を提供しただけである。
【０００８】
ＥＶ−ＤＯ、もしくはＥＶとしても度々略される、ＣＤＭＡ２０００  １ｘＥＶ−ＤＯ（エボリューションデータオプティマイズド（Ｅｖｏｌｕｔｉｏｎ−Ｄａｔａ  Ｏｐｔｉｍｉｚｅｄ））は、通常ブロードバンドインターネットアクセスのための、無線信号を通じたデータのワイヤレス送信用の電気通信標準規格である。それは、個々のユーザのスループット及び全体的なシステムのスループットの両方を最大化するために、時分割多元接続（ＴＤＭＡ）ならびに符号分割多元接続（ＣＤＭＡ）を含む多重化技法を使用する。それは、ＣＤＭＡ２０００ファミリの標準規格の一部として第３世代パートナーシッププロジェクト２（３ＧＰＰ２）によって標準化され、世界中の多くのモバイル電話サービスプロバイダ、特に以前にＣＤＭＡネットワークを用いていたプロバイダによって採用されてきた。
【０００９】
３ＧＰＰ  ＬＴＥ（ロングタームエボリューション）は、将来的な要求に対処するようにＵＭＴＳモバイル電話標準規格を改善するために第３世代パートナーシッププロジェクト（３ＧＰＰ）内のプロジェクトに与えられた名前である。目的は、効率を向上すること、コストを下げること、サービスを改善すること、新たなスペクトルの機会を使用すること、及び他のオープンな標準規格とのより良い一体化を含む。ＬＴＥシステムは、進化型ＵＴＲＡ（ＥＵＴＲＡ）及び進化型ＵＴＲＡＮ（ＥＵＴＲＡＮ）のシリーズの仕様書において説明されている。
【００１０】
異なる無線アクセス技術（ＲＡＴ）間でインターワーキング（Ｉｎｔｅｒｗｏｒｋｉｎｇ）することは、マルチラジオ無線通信システム内のモバイルデバイスに実質的に連続する通信サービスを提供するために利用され得る。例えば、各々のＲＡＴ間でインターワーキングすることは、モバイル端末もしくは他のデバイスが異なるＲＡＴ間で移動した場合でも、データセッションの継続、音声呼の継続、回線交換（ＣＳ）サービスへのフォールバックなどを容易にするために利用されることができる。しかしながら、モバイルデバイスが関連付けられた１つ又は複数のシステムもしくはモバイルデバイスが様々なサービスもしくは他の機能をサポートしない場合において、モバイルデバイスと関連付けられた１つ又は複数の通信サービスは部分的に継続されることができる。従って、マルチラジオワイヤレス環境においてモバイルデバイスと関連付けられた通信セッションを管理するための技法を実装することが望ましいだろう。
【発明の概要】
【００１１】
下記は、開示された態様のいくつかの態様の基本的な理解を提供するために簡単化された概要を提示する。この概要は広範囲に及ぶ概観ではなく、キーとなる又は不可欠な要素を識別すること、あるいは、そのような態様の範囲を描写すること、を意図しない。その目的は、後に示されるより詳細な説明への前置きとして、説明される特徴のいくつかのコンセプトを簡略化された形態で提示することである。
【００１２】
ある態様において、本開示はインターワーキングソリューション（Ｉｎｔｅｒｗｏｒｋｉｎｇ  ｓｏｌｕｔｉｏｎ）（ＩＷＳ）において、パケット交換（ＰＳ）ネットワークを使用するソース無線アクセスネットワークから回線交換（ＣＳ）ネットワークを使用する対象の無線アクセスネットワークへのユーザ機器のフォールバックを検出することによって、ならびに発呼者番号（ＣＰＮ）をＵＥに通信することによって、セルラー通信システムにおいて１ｘ回線交換フォールバック（１ｘＣＳＦＢ）モバイルターミネーションを実行するための方法を提供する。
【００１３】
第１の例示的なソリューションにおいて、本開示は更に、移動通信交換局（ＭＳＣ）を介してＩＷＳから対象のＢＳＣへと送信されるＩＯＳハンドオーバ（ＨＯ）メッセージにＣＰＮを加え、ＣＰＮを有する１ｘレイヤ３メッセージをＵＥに送信することによってＣＰＮをＵＥに通信するための方法を提供する。
【００１４】
第２の例示的なソリューションにおいて、本開示は更に、ＵＥが１ｘへ移行し、トラフィックチャネルを獲得するまでＵＥにおいて格納するために、チャネル割り当て用に使用される１ｘレイヤ３メッセージと共にＵＥにデータトンネリングを介して送信されるＣＰＮをＩＷＳによって送信することによってＣＰＮをＵＥに通信するための方法を提供する。
【００１５】
第３の例示的なソリューションにおいて、本開示は更に、ＩＷＳでＭＳＣからＣＰＮを有するページングメッセージを受信し、ページングマッチを実行するために包括的回線サービス通知アプリケーション（ＧＣＳＮＡ）のデータトンネリングを介してＣＰＮを有する１ｘレイヤ３メッセージ及びページングメッセージを同時に送信し、ＣＰＮを有する１ｘレイヤ３メッセージを処理し、１ｘネットワークにおいてトラフィックチャネルが割り当てられた後にディスプレイするためにＣＰＮを格納することによってＵＥにＣＰＮを通信するための方法を提供する。
【００１６】
第４の例示的なソリューションにおいて、本開示は更に、接続メッセージを受信する前に１ｘＣＳＦＢ手順の一部としてのＨＯの実行に応じて、ＭＳＣから対象の無線アクセスネットワークにＣＰＮを有する情報付きアラート（Ａｌｅｒｔ  Ｗｉｔｈ  Ｉｎｆｏｒｍａｔｉｏｎ）（ＡＷＩ）を送信し、ＵＥにＣＰＮを有する１ｘレイヤ３メッセージを送信することによって、ＵＥにＣＰＮを通信するための方法を提供する。
【００１７】
第５の例示的なソリューションにおいて、本開示は更に、ＩＷＳにおいてＣＰＮを有するメッセージを伴うページングメッセージを移動通信交換局（ＭＳＣ）から受信し、第１にＵＥにＧＣＳＮＡのデータトンネリングを介してＣＰＮを有する１ｘレイヤ３メッセージを送信し、１ｘレイヤ３メッセージを処理し、ＣＰＮを用いてアラートし、モバイルでターミネートされる呼をユーザが承認した場合にＩＷＳへ別の１ｘレイヤ３メッセージを送信し、ＵＥがＣＰＮの承認を示すことに応じて肯定応答するためにＵＥにＧＣＳＮＡのデータトンネリングを介して１ｘレイヤ３ページングメッセージを送信することによって、ＵＥにＣＰＮを通信するための方法を提供する。
【００１８】
別の態様において、本開示は、セルラー式通信システムにおいて１ｘＣＳＦＢモバイルターミネーションを実行するための少なくとも１つのプロセッサを提供する。第１のモジュールはＩＷＳにおいて、ＰＳネットワークを使用するソース無線アクセスネットワークからＣＳネットワークを使用する対象の無線アクセスネットワークへのＵＥのフォールバックを検出する。第２のモジュールはＣＰＮをＵＥに通信する。
【００１９】
更なる態様において、本開示は、セルラー式通信システムにおいて１ｘＣＳＦＢのモバイルターミネーションを実行するためのコンピュータプログラム製品を提供する。非トランジトリなコンピュータ読取可能記憶媒体は、コンピュータに、ＩＷＳにおいて、ＰＳネットワークを使用するソース無線アクセスネットワークからＣＳネットワークを使用する対象の無線アクセスネットワークへのＵＥのフォールバックを検出させるための第１のセットのコードを備える。第２のセットのコードは、コンピュータに、ＵＥにＣＰＮを通信させる。
【００２０】
更なる態様において、本開示は、セルラー式通信システムにおいて１ｘＣＳＦＢのモバイルターミネーションを実行するための装置を提供する。装置は、ＩＷＳにおいて、ＰＳネットワークを使用するソース無線アクセスネットワークからＣＳネットワークを使用する対象の無線アクセスネットワークへのＵＥのフォールバックを検出するための手段を備える。装置は、ＵＥにＣＰＮを通信するための手段を備える。
【００２１】
また更なる態様において、本開示は、セルラー式通信システムにおいて１ｘＣＳＦＢのモバイルターミネーションを実行するための装置を提供する。コントローラはＩＷＳにおいて、ＰＳネットワークを使用するソース無線アクセスネットワークからＣＳネットワークを使用する対象の無線アクセスネットワークへのＵＥのフォールバックを検出する。ネットワークインタフェースはＣＰＮをＵＥに通信する。
【００２２】
前述および関連した目的を達成するために、１つ又は複数の態様は、以下に十分に記述され、請求項で特に示される特徴を備える。以下の記述及び添付の図面は、特定の例示的な態様を詳細に示し、態様の本質が用いられる様々な方法のほんの一部を示す。他の利点及び新たな特徴は、図面と関係して考慮された場合に以下の詳細な説明により明らかになり、そのような態様及びそれらの均等物をすべて含むように意図されている。
【図面の簡単な説明】
【００２３】
【図１】セルラー式通信システムにおいて１ｘ回線交換フォールバック（１ｘＣＳＦＢ）を実行するための方法のフロー図。
【図２Ａ】発呼者番号（ＣＰＮ）をユーザ機器（ＵＥ）に通信するための第１のソリューションを実行するための方法のフロー図。
【図２Ｂ】ＣＰＮをＵＥに通信するための第２のソリューションを実行するための方法のフロー図。
【図２Ｃ】ＣＰＮをＵＥに通信するための第３のソリューションを実行するための方法のフロー図。
【図２Ｄ】ＣＰＮをＵＥに通信するための第４のソリューションを実行するための方法のフロー図。
【図２Ｅ】ＣＰＮをＵＥに通信するための第５のソリューションを実行するための方法のフロー図。
【図３】ＣＰＮをＵＥに通信するための第１のソリューションを実行するためのタイミング図。
【図４】ＣＰＮをＵＥに通信するための第２のソリューションを実行するためのタイミング図。
【図５】ＣＰＮをＵＥに通信するための第３のソリューションを実行するためのタイミング図。
【図６】ＣＰＮをＵＥに通信するための第４のソリューションを実行するためのタイミング図。
【図７】ＣＰＮをＵＥに通信するための第５のソリューションを実行するためのタイミング図。
【図８】セルラー式通信システムにおいて１ｘ回線交換フォールバック（１ｘＣＳＦＢ）モバイルターミネーションを実行するための方法のフロー図。
【図９】ＵＥによる１ｘＣＳＦＢのシグナリングのフロー図。
【図１０】ＨＯベースの１ｘＣＳＦＢのためのネットワーク内でのハードウェア実装を例示する概念図。
【図１１】ＨＯベースの１ｘＣＳＦＢのための電気コンポーネントの論理分類を備えるシステムの概略図。
【詳細な説明】
【００２４】
本開示の特徴、性質および利点は、同じ参照記号が全体を通して対応して識別できる図面と関連して捉えられると、以下で述べられる詳細な説明からより明らかになる。
【００２５】
パケット交換（ＰＳ）通信のための３Ｇ／４Ｇセルラー式無線アクセス技術（ＲＡＴ）を利用することができるユーザ機器（ＵＥ）にとって、ＵＥが回線交換（ＣＳ）通信を使用する無線アクセスネットワークへフォールバックする必要がある場合が生じる。特に、１ｘ回線交換フォールバック（１ｘＣＳＦＢ）及び高度１ｘＣＳＦＢ（ｅ１ｘＣＳＦＢ）の手順は、３ＧＰＰにおいて既に定義されている。同様に、３ＧＰＰ２もまた、包括的回線サービス通知アプリケーション(Generic Circuit Services Notification Application)（ＧＣＳＮＡ）をＵＥと１ｘＣＳインターワーキングソリューション（ＩＷＳ）との間のトンネリングプロトコルとして定義している。
【００２６】
概して、インターワーキングソリューション（ＩＷＳ）及び１ｘ基地局制御装置（１ｘＢＳＣ）は、同一の場所に配置されることが想定されている。移動通信交換局（ＭＳＣ）は、ＭＳＣがページング応答を受信した後、割り当て要求メッセージにおいてＩＷＳ／ＢＳＣに発呼者番号を提供する。ＩＷＳ／ＢＳＣにおけるＨＯ手順はＭＳＣにおいては、可視的でない場合があることは認識されるべきである。この例において、ＭＳＣは、ハンドオフが実行されていることに気付いていない。ＩＷＳ／１ｘＢＳＣは、トラフィックチャネルが１ｘ上で割り当てられた後に発呼者番号を提供する。
【００２７】
本開示は、ＣＰＮの利点とともに１ｘＣＳＦＢを実行することに関する第１の問題を認識している。ＩＷＳ及び１ｘＢＳＣが同じ位置に配置される場合、本来の１ｘの手順を再利用することは可能である。しかしながらこのソリューションは、ＩＷＳ及び１ｘＢＳＣが別個のエンティティである場合、適用されないことがある。ＩＷＳ及び１ｘＢＳＣが同じ位置に配置されない場合、ハンドオーバ（ＨＯ）ベースの１ｘＣＳＦＢにおいてＵＥでのアラートを実際にトリガする対象のＢＳＣでＣＰＮを知る方法がない場合もある。
【００２８】
本開示は更に、第２の問題を認識している。現在の標準規格は、ＵＥが１ｘ無線伝送技術（１ｘＲＴＴ）アクセスに同調する前に発呼者番号のディスプレイをサポートしない。呼が拒絶された場合、ＵＥが３Ｇ／４Ｇのセルラー式通信（例えば、ＬＴＥ）を離れる必要がないことが望ましいだろう。
【００２９】
本開示は、第１の問題に対処するために、ＵＥにＣＰＮを通信するセルラー式通信システムにおける１ｘＣＳＦＢのための方法及び装置を提供する。
【００３０】
第１のソリューションは、ＩＷＳが相互動作可能な仕様(Interoperability Specification)（ＩＯＳ）のＨＯメッセージにおいて、ＭＳＣを介して対象のＢＳＣに送信される発呼者番号(Calling Party Number)（ＣＰＮ）を加えることを提供する。
【００３１】
代わりとして、第２のソリューションは、ＩＷＳがエアインタフェースメッセージを用いてＣＰＮを送信し、ＵＥが１ｘＲＴＴアクセスに同調するまでＣＰＮを格納することを提供する。
【００３２】
代わりとして、第３のソリューションは、ＩＷＳがページングメッセージを用いてＭＳＣからＣＰＮを受信し、ＵＥが１ｘＲＴＴアクセスに同調するまでＣＰＮを格納することを提供する。
【００３３】
代わりとして、第４のソリューションは、ＭＳＣから対象のＢＳＣにＡＷＩメッセージを送信することを提供する。例えば、ＭＳＣは、ＣＳＦＢ及び本来のＣＳの両方の動作の間、ＣＰＮを有するＡＷＩを送信する。
【００３４】
本開示は更に、１ｘＲＴＴアクセスへハンドオフするために３Ｇ／４Ｇのセルラー式通信を離れる前に、呼のアラートにおいてＣＰＮをディスプレイする第２の問題を解決するための方法及び装置を提供する。特に、第５のソリューションは、ＩＷＳが、３Ｇ／４Ｇのセルラー式通信（例えばＬＴＥ）を離れる前に呼を承認すべきかどうかをユーザに決定させるために、ページングメッセージの前に、ＵＥにデータトンネリングされる、（例えば、特徴通知メッセージ(Feature Notification Message)のような）１ｘエアインタフェースメッセージを介してＣＰＮを送信することを提供する。
【００３５】
所与の３ＧＰＰもしくは３ＧＰＰ２、あるいは他のセルラー式通信標準規格の分野における当業者に良く知られているある特定の用語が本明細書において明確化のために使用されていることは、本開示の利点とともに認識されるべきである。しかしながら、本願のイノベーションと一貫する態様は、様々な無線アクセス技術（ＲＡＴ）における同等のエンティティ及び機能に適用されることができる。
【００３６】
様々な態様が図面に関連してここに記述される。以下の記述において、説明を目的として、１つ又は複数の態様の全体的な理解を提供するために多数の特定な詳細が示される。しかしながら、様々な態様がこれらの特定な詳細なく実施され得ることは明白であり得る。他の事例において、これらの態様の記述を容易にするために、周知の構造およびデバイスがブロック図の形態で示される。
【００３７】
図１において、セルラー式通信システムにおいて、１ｘ回線交換フォールバック（１ｘＣＳＦＢ）のモバイルターミネーションを実行する方法１００が図示されている。通信ネットワークにおいて、インターワーキングソリューション（ＩＷＳ）はパケット交換（ＰＳ）ネットワークを使用するソース無線アクセスネットワーク（ＲＡＮ）から回線交換（ＣＳ）１ｘネットワークを使用する対象のＲＡＮへのユーザ機器のフォールバックを検出する（ブロック１０４）。通信ネットワークは、ＵＥに発呼者番号（ＣＰＮ）を通信する（ブロック１０６）。
【００３８】
本開示は図２Ａ−２Ｅにおいて、ＵＥにＣＰＮを通信するための５つの例示的なソリューションを提供する。
【００３９】
図２Ａに関連して、ＵＥへＣＰＮを通信するための第１のソリューションが２１０において図示されている。ＩＷＳは、移動通信交換局（ＭＳＣ）を介して対象のＢＳＣに送信されるＩＯＳ  ＨＯメッセージにＣＰＮを加える（ブロック２１２）。今度は、対象のＢＳＣはＵＥにＣＰＮを有する１ｘレイヤ３メッセージを送信する（ブロック２１４）。
【００４０】
図２Ｂを参照して、ＵＥにＣＰＮを通信するための第２のソリューションが２２０において、図示されている。ＩＷＳはＵＥにベースノードを介してデータトンネリングを通じてＣＰＮを送信する（ブロック２２２）。ＵＥは、ＵＥが１ｘへ移行し、トラフィックチャネルを獲得するまでＣＰＮを格納する（ブロック２２４）。例示的な態様において、ＩＷＳは、１ｘハンドオフメッセージと同時にベースノードを介して包括的回線サービス通知アプリケーション（ＧＣＳＮＡ）のデータトンネリングを通じてＣＰＮを有する１ｘレイヤ３メッセージを送信する。
【００４１】
図２Ｃを参照して、ＵＥにＣＰＮを通信するための第３のソリューションが２３０において、図示されている。ＩＷＳは、移動通信交換局（ＭＳＣ）から、ＣＰＮを有するページングメッセージを受信する（ブロック２３１）。ＩＷＳは、ＵＥに、ベースノードを介してＧＣＳＮＡのデータトンネリングを通じてＣＰＮを有する１ｘレイヤ３メッセージ及びページングメッセージを同時に送信する（ブロック２３３）。ＵＥはページングマッチを実行する（ブロック２３５）。ＵＥはＣＰＮを有する１ｘレイヤ３メッセージを処理する（ブロック２３７）。ＵＥは、トラフィックチャネルが１ｘネットワークにおいて割り当てられた後でディスプレイするためにＣＰＮを格納することを格納する（ブロック２３９）。
【００４２】
図２Ｄを参照して、ＵＥにＣＰＮを通信するための第４のソリューションが２４０において、図示されている。ＭＳＣは、接続メッセージを受信する前の１ｘＣＳＦＢ手順の一部としてのＨＯの実行に応じて対象のＢＳＣにＣＰＮを有する情報付きアラート（ＡＷＩ）を送信する（ブロック２４２）。対象のＢＳＣはＵＥにＣＰＮを有する１ｘレイヤ３メッセージを送信する（ブロック２４４）。
【００４３】
図２Ｅを参照して、ＵＥにＣＰＮを通信するための、特に呼を承認する前にＵＥがＣＰＮを確認することができるようにするための第５のソリューションが２５０において図示されている。ＩＷＳはＭＳＣからＣＰＮを有するメッセージを伴うページングメッセージを受信する（ブロック２５２）。ＩＷＳは、ＵＥに最初に、ベースノードを介してＧＣＳＮＡのデータトンネリングによってＣＰＮを有する１ｘレイヤ３メッセージを送信する（ブロック２５４）。ＵＥは１ｘレイヤ３メッセージを処理する（ブロック２５６）。ＵＥはユーザにＣＰＮを用いてアラートする（ブロック２５８）。この例において、このユーザはモバイルでターミネートされる呼を承認する（ブロック２６０）。ＩＷＳはモバイルでターミネートされる呼のユーザ承認に応じてＵＥからベースノードを介してＧＣＳＮＡのデータトンネリングによって別の１ｘレイヤ３を受信する（ブロック２６２）。ＩＷＳは、第２に、ＵＥがＣＰＮの承認を示すことに応じて肯定応答するために、ＵＥにベースノードを介してＧＣＳＮＡのデータトンネリングによってページングメッセージを送信する（ブロック２６４）。
【００４４】
図３において、通信システム３００は、３Ｇ及び４Ｇ（第３もしくは第４世代）通信プロトコル（例えば、４ＧについてはＬＴＥ、ならびに３Ｇについては１ｘＣＳ）の両方をサポートする。ＵＥ３０２は、モビリティ管理エンティティ（ＭＭＥ）３０６と通信しているｅＮＢ３０４からＬＴＥサービスにアクセスしている。ＩＷＳ３０８及び移動通信交換局（ＭＳＣ）３１０の援助の下、ＵＥ３０２は、ＩＷＳ３０８と同じ位置に配置されていない１ｘＢＳＣ３１２へのトンネリングを介して１ｘＣＳＦＢを実行し得る。
【００４５】
ステップ１において、ＭＳＣ３１０は、３２０で図示されているようにＩＷＳ３０８にページング要求を送信する。ステップ２において、ＩＷＳ３０８は、３２２において図示されているように、ＭＭＥ３０６に、包括的回線サービス通知アプリケーション（ＧＣＳＮＡ）メッセージにカプセル化されたジェネラルページングメッセージ(General Paging Message)（ＧＰＭ）を送信するためにＡ２１エアインターフェースシグナリングメッセージを使用する。ステップ３において、ＵＥ３０２、ｅＮＢ３０４，およびＭＭＥ３０６は、３２４に図示されているように、ＵＥ３０２がサービス要求を行うときに相互動作する。ステップ４ａにおいて、ＭＭＥ３０６は、３２６で図示されているように、ｅＮＢ３０４にＧＣＳＮＡ（ＧＰＭ）を含むダウンリンク（ＤＬ）ＣＤＭＡ２０００（Ｃ２Ｋ）トンネリングメッセージ(downlink (DL) CDMA2000 (C2K) tunneling message)で応答し、次に、ｅＮＢ３０４は、ステップ４ｂにおいて、３２８で図示されているようにＧＣＳＮＡ（ＧＰＭ）を含むＤＬ  Ｃ２Ｋ情報転送メッセージ(DL C2K information transfer message)を伝送する。ステップ５において、ＵＥ３０２は３３０で図示されているようにＭＭＥ３０６への拡張サービス要求(Extended Service Request)（ＥＳＲ）を行う。ステップ６において、３３２において図示されているように、ＭＭＥ３０６はｅＮＢ３０４での１ｘＣＳＦＢ手順をトリガするためにｅＮＢ３０４へコンテクスト変更（１ｘＣＳＦＢ）メッセージ(context modification (1xCSFB) message)を送信する。ステップ７において、３３４で図示されているように、ＲＡＴ間測定(Inter RAT measurement)がＵＥ３０２において実行され、測定結果がｅＮＢ３０４に報告される。ステップ８において、３３６で図示されているように、ｅＮＢ３０４は、ＵＥ３０２に進化型ユニバーサル地上無線アクセス（ＥＵＴＲＡ）ＨＯ準備要求(Evolved Universal Terrestrial Radio Access (EUTRA) HO preparation request)を伝送する。
【００４６】
ステップ９ａにおいて、３３８で図示されているように、ＵＥ３０２は、ｅＮＢ３０４へＧＣＳＮＡ（ＰＲＭ）を含むアップリンク（ＵＬ）ＨＯ準備転送(uplink (UL) HO preparation transfer)を伝送し、「ＰＲＭ」はカプセル化されたページング応答メッセージ(Page Response Message)を表す。ステップ９ｂにおいて、３４０で図示されているように、ｅＮＢ３０４はＭＭＥ３０６にＵＬ  Ｃ２Ｋトンネリング(UL C2K tnneling)においてＧＣＳＮＡ（ＰＲＭ）を送信する。ステップ９ｃにおいて、３４２で図示されているように、ＭＭＥ３０６は、ＩＷＳ３０８にＧＣＳＮＡ（ＰＲＭ）を送信するために、Ａ２１エアインタフェースシグナリングメッセージを使用する。ステップ１０において、３４４で図示されているように、ＩＷＳ３０８はＭＳＣ３１０にページング応答(page response)を送信する。ステップ１１において、３４６で図示されているように、ＭＳＣ３１０は発呼者番号（ＣＰＮ）を含む割り当て要求(assignment request)でＩＷＳ３０８に応答する。ステップ１２において、３４８で図示されているように、ＩＷＳ３０８はＭＳＣ３１０にＣＰＮを有するＨＯリクワイヤード(HO required)を送信する。ステップ１３において、３５０で図示されているように、ＭＳＣ３１０は１ｘＢＳＣ３１２にＣＰＮを有するＨＯ要求(HO request)を送信する。ステップ１４において、３５２で図示されているように、１ｘＢＳＣ３１２はＭＳＣ３１０にＨＯ要求を肯定応答（Ａｃｋ）する。ステップ１５において、３５４で図示されているように、ＭＳＣ３１０はＩＷＳ３０８にＨＯコマンド(HO command)を送信する。ステップ１６において、３５６で図示されているように、ＧＣＳＮＡにカプセル化されたユニバーサルハンドオフ指示メッセージ(Universal Handoff Direction Message)（ＵＨＤＭ）が、ＩＷＳ３０８からＭＭＥ３０６へ、ｅＮＢ３０４へ、そしてＵＥ３０２へ送信される。ステップ１７において、３５８で図示されているように、ＩＷＳ３０８はＭＳＣ３１０にＨＯ開始済(HO commenced)を送信する。ステップ１８において、３６０で図示されているように、ＵＥ３０２は１ｘＢＳＣ３１２に１ｘ上でハンドオフ完了メッセージ(handoff completion message)を伝送する。ステップ１９において、３６２で図示されているように、１ｘＢＳＣ３１２はＵＥ３０２に命令メッセージ(order message)を伝送する。ステップ２０において、３６４で図示されているように、１ｘＢＳＣ３１２はＭＳＣ３１０にＨＯ完了(HO complete)を送信する。ステップ２１において、３６６で図示されているように、１ｘＢＳＣ３１２はＵＥ３０２にＣＰＮを含む情報付きアラートメッセージを伝送する。ステップ２２において、３６８で図示されているように、ＵＥ３０２は１ｘＢＳＣ３１２に移動局（ＭＳ）のＡｃｋのための命令メッセージを伝送する。ステップ２３において、３７０で図示されているように、ＵＥ３０２はユーザによって応えられる呼アラート（例えば、リング（ｒｉｎｇ））を実行する。ステップ２４において、３７２で図示されているように、ＵＥ３０２は１ｘＢＳＣ３１２に命令メッセージ（つまり、接続済命令(connected order)）を伝送する。
【００４７】
前述のために、第１のソリューションが、相互動作可能な仕様（ＩＯＳ）のＨＯメッセージを用いてＣＰＮに提供される。特に発呼者番号（ＣＰＮ）は３４８及び３５０でそれぞれ図示されているように、ステップ１２及び１３におけるＨＯメッセージに加えられる。３６６で図示されているように、１ｘＢＳＣ３１２によって表されている対象の基地局制御装置（ＢＳＣ）は、ステップ２１で図示されているように情報付きアラートメッセージを送信するとき、この情報を使用する。現行の１ｘＣＳＦＢアーキテクチャは、ＩＷＳ３０８とＢＳＣとの間のインタフェースをサポートしないけれども、ＨＯ手順用にＡ３／７インタフェースを使用することは技術的に可能である。この場合、ＣＰＮはＡ７ハンドオフ要求メッセージに加えられ得る。
【００４８】
図４において、通信システム４００は、３Ｇ及び４Ｇ通信プロトコル（例えば、４ＧについてはＬＴＥ、ならびに３Ｇについては１ｘＣＳ）の両方をサポートする。ＵＥ４０２は、ＭＭＥ４０６と通信しているｅＮＢ４０４からＬＴＥサービスにアクセスしている。ＩＷＳ４０８及びＭＳＣ４１０の援助の下、ＵＥ４０２は、ＩＷＳ４０８と同じ位置に配置されていない１ｘＢＳＣ４１２へのトンネリングを介して１ｘＣＳＦＢを実行し得る。
【００４９】
ステップ１において、４２０で図示されているように、ＭＳＣ４１０はＩＷＳ４０８にページング要求を送信する。ステップ２において、ＩＷＳ４０８は、４２２において図示されているように、ＭＭＥ４０６に、ＧＣＳＮＡメッセージにカプセル化されたジェネラルページングメッセージ（ＧＰＭ）を送信するためにＡ２１エアインターフェースシグナリングメッセージを使用する。ステップ３において、ＵＥ４０２、ｅＮＢ４０４，およびＭＭＥ４０６は、４２４で図示されているように、ＵＥ４０２がサービス要求を行うときに相互動作する。ステップ４ａにおいて、ＭＭＥ４０６は、４２６で図示されているように、ｅＮＢ４０４にＧＣＳＮＡ（ＧＰＭ）を含むＤＬ  Ｃ２Ｋトンネリングメッセージで応答し、次に、ｅＮＢ４０４は、ステップ４ｂにおいて、４２８で図示されているようにＧＣＳＮＡ（ＧＰＭ）を含むＤＬ  Ｃ２Ｋ情報転送メッセージを伝送する。ステップ５において、４３０で図示されているように、ＵＥ４０２はＭＭＥ４０６へのＥＳＲを行う。ステップ６において、４３２において図示されているように、ＭＭＥ４０６はｅＮＢ４０４での１ｘＣＳＦＢ手順をトリガするためにｅＮＢ４０４へコンテクスト変更（１ｘＣＳＦＢ）メッセージを送信する。ステップ７において、４３４で図示されているように、ＲＡＴ間測定がＵＥ４０２において実行され、測定結果がｅＮＢ４０４に報告される。ステップ８において、４３６で図示されているように、ｅＮＢ４０４はＵＥ４０２にＥＵＴＲＡ  ＨＯ準備要求を伝送する。
【００５０】
ステップ９ａにおいて、ＵＥ４０２は、４３８で図示されているように、ｅＮＢ４０４に、ＧＣＳＮＡ（ＰＲＭ）を含むＵＬ  ＨＯ準備転送を伝送する。ステップ９ｂにおいて、４４０で図示されているように、ｅＮＢ４０４はＭＭＥ４０６にＵＬ  Ｃ２ＫトンネリングにおいてＧＣＳＮＡ（ＰＲＭ）を送信する。ステップ９ｃにおいて、４４２で図示されているように、ＭＭＥ４０６は、ＩＷＳ４０８にＧＣＳＮＡ（ＰＲＭ）を送信するために、Ａ２１エアインタフェースシグナリングメッセージを使用する。ステップ１０において、４４４で図示されているように、ＩＷＳ４０８がＭＳＣ４１０にページング応答を送信する。ステップ１１において、４４６で図示されているように、ＭＳＣ４１０はＣＰＮを含む割り当て要求を用いてＩＷＳ４０８に応答する。ステップ１２において、４４８で図示されているように、ＩＷＳ４０８はＭＳＣ４１０にＨＯリクワイヤードを送信する。ステップ１３において、４５０で図示されているように、ＭＳＣ４１０は１ｘＢＳＣ４１２にＨＯ要求を送信する。ステップ１４において、４５２で図示されているように、１ｘＢＳＣ４１２はＭＳＣ４１０にＨＯ要求を肯定応答（ＡＣＫ）する。ステップ１５において、４５４で図示されているように、ＭＳＣ４１０はＩＷＳ４０８にＨＯコマンドを送信する。ステップ１６において、４５６で図示されているように、ＵＨＤＭ及び情報付きアラートメッセージ（ＡＷＩ）の両方を含むＧＣＳＮＡメッセージが、トンネルを介して、ＩＷＳ４０８からＭＭＥ４０６へ、ｅＮＢ４０４へ、そしてＵＥ４０２へ送信される。ステップ１７において、４５８で図示されているように、ＩＷＳ４０８はＭＳＣ４１０にＨＯ開始済を送信する。ステップ１８において、４６０で図示されているように、ＵＥ４０２は１ｘＢＳＣ４１２に１ｘ上でハンドオフ完了メッセージを伝送する。ステップ１９において、４６２で図示されているように、１ｘＢＳＣ４１２はＵＥ４０２に命令メッセージを伝送する。ステップ２０において、４６４で図示されているように、１ｘＢＳＣ４１２はＭＳＣ４１０にＨＯ完了を送信する。ステップ２１において、４６６で図示されているように、ＵＥ４０２はユーザによって応えられる呼アラート（例えば、リング）を実行する。ステップ２２において、４６８で図示されているように、ＵＥ４０２は１ｘＢＳＣ４１２に命令メッセージ（つまり、接続済命令）を伝送する。
【００５１】
前述のために、第２のソリューションが、チャネル割り当て用のエアインタフェース（ＡＩ）メッセージを用いてＣＰＮに提供される。ステップ１６において、ＩＷＳ４０８は、ＵＨＤＭメッセージと共にＡＷＩにおいてＣＰＮを送信する（つまり、１ｘＣＳＦＢ設計においてＵＨＤＭは１ｘトラフィックチャネル割り当てのために使用される）。代わりとして、もしくは加えて、ＵＨＤＭにおける新たなフィールドがＣＰＮを搬送するために加えられ得る。
【００５２】
図５において、通信システム５００は、３Ｇ及び４Ｇ通信プロトコル（例えば、４ＧについてはＬＴＥ、ならびに３Ｇについては１ｘＣＳ）の両方をサポートする。ＵＥ５０２は、ＭＭＥ５０６と通信しているｅＮＢ５０４からＬＴＥサービスにアクセスしている。ＩＷＳ５０８及びＭＳＣ５１０の援助の下、ＵＥ５０２は、ＩＷＳ５０８と同じ位置に配置されていない１ｘＢＳＣ５１２へのトンネリングを介して１ｘＣＳＦＢを実行し得る。
【００５３】
ステップ１において、５２０で図示されているように、ＭＳＣ５１０はＩＷＳ５０８に特徴通知を有するページング要求を送信する。ステップ２において、ＩＷＳ５０８は、５２２において図示されているように、ＭＭＥ５０６に、包括的回線サービス通知アプリケーション（ＧＣＳＮＡ）メッセージにカプセル化されたＧＰＭ及び特徴通知メッセージ（ＦＮＭ）の両方を送信するためにＡ２１エアインターフェースシグナリングメッセージを使用する。ステップ３において、ＵＥ５０２、ｅＮＢ５０４，およびＭＭＥ５０６は、５２４で図示されているように、ＵＥ５０２がサービス要求を行うときに相互動作する。ステップ４ａにおいて、ＭＭＥ５０６は、５２６で図示されているように、ｅＮＢ５０４にＧＣＳＮＡ（ＧＰＭ及びＦＮＭ）を含むＤＬ  Ｃ２Ｋトンネリングメッセージで応答し、次に、ｅＮＢ５０４は、ステップ４ｂにおいて、５２８で図示されているようにＧＣＳＮＡ（ＧＰＭ及びＦＮＭ）を含むＤＬ  Ｃ２Ｋ情報転送を送信する。ステップ５において、ＵＥ５０２はＣＰＮを格納する（ブロック５２９）。ステップ６において、５３０で図示されているように、ＵＥ５０２はＭＭＥ５０６へのＥＳＲを行う。ステップ７において、５３２で図示されているように、ＭＭＥ５０６はｅＮＢ５０４での１ｘＣＳＦＢ手順をトリガするためにｅＮＢ５０４へコンテクスト変更（１ｘＣＳＦＢ）メッセージを送信する。ステップ８において、５３４で図示されているように、ＲＡＴ間測定がＵＥ５０２において実行され、測定結果がｅＮＢ５０４に報告される。ステップ９において、５３６で図示されているように、ｅＮＢ５０４は、ＵＥ５０２にＥＵＴＲＡ  ＨＯ準備要求を送信する。
【００５４】
ステップ１０ａにおいて、ＵＥ５０２は、５３８で図示されているように、ｅＮＢ５０４に、ＧＣＳＮＡ（ＰＲＭ）を含むＵＬ  ＨＯ準備転送を伝送する。ステップ１０ｂにおいて、５４０で図示されているように、ｅＮＢ５０４はＭＭＥ５０６にＵＬ  Ｃ２ＫトンネリングにおいてＧＣＳＮＡ（ＰＲＭ）を送信する。ステップ１０ｃにおいて、５４２で図示されているように、ＭＭＥ５０６は、ＩＷＳ５０８にＧＣＳＮＡ（ＰＲＭ）を送信するために、Ａ２１エアインタフェースシグナリングメッセージを使用する。ステップ１１において、５４４で図示されているように、ＩＷＳ５０８がＭＳＣ５１０にページング応答を送信する。ステップ１２において、５４６で図示されているように、ＭＳＣ５１０はＣＰＮを含む割り当て要求を用いてＩＷＳ５０８に応答する。ステップ１３において、５４８で図示されているように、ＩＷＳ５０８はＭＳＣ５１０にＨＯリクワイヤードを送信する。ステップ１４において、５５０で図示されているように、ＭＳＣ５１０は１ｘＢＳＣ５１２にＨＯ要求を送信する。ステップ１５において、５５２で図示されているように、１ｘＢＳＣ５１２はＭＳＣ５１０にＨＯ要求を肯定応答（ＡＣＫ）する。ステップ１６において、５５４で図示されているように、ＭＳＣ５１０はＩＷＳ５０８にＨＯコマンドを送信する。ステップ１７において、５５６で図示されているように、ＧＣＳＮＡにカプセル化されたＵＨＤＭは、ＩＷＳ５０８からＭＭＥ５０６へ、ｅＮＢ５０４へ、そしてＵＥ５０２へ送信される。ステップ１８において、５５８で図示されているように、ＩＷＳ５０８はＭＳＣ５１０にＨＯ開始済を送信する。ステップ１９において、５６０で図示されているように、ＵＥ５０２は１ｘＢＳＣ５１２に１ｘ上でハンドオフ完了メッセージを伝送する。ステップ２０において、５６２で図示されているように、１ｘＢＳＣ５１２はＵＥ５０２に命令メッセージを伝送する。ステップ２１において、５６４で図示されているように、１ｘＢＳＣ５１２はＭＳＣ５１０にＨＯ完了を送信する。ステップ２２において、５７０で図示されているように、ＵＥ５０２は、ユーザによって応えられる呼アラート（例えば、リング）を実行する。ステップ２３において、５７２で図示されているように、ＵＥ５０２は１ｘＢＳＣ５１２に命令メッセージ（つまり、接続済命令）を伝送する。
【００５５】
前述のために、第３のソリューションがＦＮＭを用いてＧＰＭによって提供される。特に発呼者番号を有する特徴通知メッセージは、５２０で図示されているようにステップ１において、ＧＰＭと共に送信される。ページングマッチの後、５２６、５２８、５２９においてそれぞれ図示されているように、ＵＥはＦＮＭを処理し、ＣＰＮを格納する（ステップ４ａ、４ｂ、及び５）。５７０で図示されているように、ＣＰＮはトラフィックチャネルが割り当てられた後でディスプレイされる（ステップ２２）。
【００５６】
図６において、通信システム６００は、３Ｇ及び４Ｇ通信プロトコル（例えば、４ＧについてはＬＴＥ、ならびに３Ｇについては１ｘＣＳ）の両方をサポートする。ＵＥ６０２は、ＭＭＥ６０６と通信しているｅＮＢ６０４からＬＴＥサービスにアクセスしている。ＩＷＳ６０８及びＭＳＣ６１０の援助の下、ＵＥ６０２は、ＩＷＳ６０８と同じ位置に配置されていない１ｘＢＳＣ６１２へのトンネリングを介して１ｘＣＳＦＢを実行し得る。
【００５７】
ステップ１において、６２０で図示されているように、ＭＳＣ６１０はＩＷＳ６０８にページング要求を送信する。ステップ２において、ＩＷＳ６０８は、６２２において図示されているように、ＭＭＥ６０６に、ＧＣＳＮＡメッセージにカプセル化されたＧＰＭを送信するためにＡ２１エアインターフェースシグナリングメッセージを使用する。ステップ３において、ＵＥ６０２、ｅＮＢ６０４，およびＭＭＥ６０６は、６２４で図示されているように、ＵＥ６０２がサービス要求を行うときに相互動作する。ステップ４ａにおいて、ＭＭＥ６０６は、６２６で図示されているように、ｅＮＢ６０４にＧＣＳＮＡ（ＧＰＭ）を含むＤＬ  Ｃ２Ｋトンネリングメッセージで応答し、次に、ｅＮＢ６０４は、ステップ４ｂにおいて、６２８で図示されているようにＧＣＳＮＡ（ＧＰＭ）を含むＤＬ  Ｃ２Ｋ情報転送メッセージを伝送する。ステップ５において、６３０で図示されているように、ＵＥ６０２はＭＭＥ６０６へのＥＳＲを行う。ステップ６において、６３２において図示されているように、ＭＭＥ６０６はｅＮＢ６０４での１ｘＣＳＦＢ手順をトリガするためにｅＮＢ６０４へコンテクスト変更（１ｘＣＳＦＢ）メッセージを送信する。ステップ７において、６３４で図示されているように、ＲＡＴ間測定がＵＥ６０２において実行され、測定結果がｅＮＢ６０４に報告される。ステップ８において、６３６で図示されているように、ｅＮＢ６０４は、ＵＥ６０２にＥＵＴＲＡ  ＨＯ準備要求を伝送する。
【００５８】
ステップ９ａにおいて、ＵＥ６０２は、６３８で図示されているように、ｅＮＢ６０４に、ＧＣＳＮＡ（ＰＲＭ）を含むＵＬ  ＨＯ準備転送を伝送する。ステップ９ｂにおいて、６４０で図示されているように、ｅＮＢ６０４はＭＭＥ６０６にＵＬ  Ｃ２ＫトンネリングにおいてＧＣＳＮＡ（ＰＲＭ）を送信する。ステップ９ｃにおいて、６４２で図示されているように、ＭＭＥ６０６は、ＩＷＳ６０８にＧＣＳＮＡ（ＰＲＭ）を送信するために、Ａ２１エアインタフェースシグナリングメッセージを使用する。ステップ１０において、６４４で図示されているように、ＩＷＳ６０８がＭＳＣ６１０にページング応答を送信する。ステップ１１において、６４６で図示されているように、ＭＳＣ６１０はＣＰＮを含む割り当て要求を用いてＩＷＳ６０８に応答する。ステップ１２において、６４８で図示されているように、ＩＷＳ６０８はＭＳＣ６１０にＨＯリクワイヤードを送信する。ステップ１３において、６５０で図示されているように、ＭＳＣ６１０は１ｘＢＳＣ６１２にＨＯ要求を送信する。ステップ１４において、６５２で図示されているように、１ｘＢＳＣ６１２はＭＳＣ６１０にＨＯ要求を肯定応答（ＡＣＫ）する。ステップ１５において、６５４で図示されているように、ＭＳＣ６１０はＩＷＳ６０８にＨＯコマンドを送信する。ステップ１６において、６５６で図示されているように、ＧＣＳＮＡにカプセル化されたＵＨＤＭは、ＩＷＳ６０８からＭＭＥ６０６へ、ｅＮＢ６０４へ、そしてＵＥ６０２へ送信される。ステップ１７において、６５８で図示されているように、ＩＷＳ６０８はＭＳＣ６１０にＨＯ接続済を送信する。ステップ１８において、６６０で図示されているように、ＵＥ６０２は１ｘＢＳＣ６１２に１ｘ上でハンドオフ完了メッセージを伝送する。ステップ１９において、６６２で図示されているように、１ｘＢＳＣ６１２はＵＥ６０２に命令メッセージを伝送する。ステップ２０において、６６４で図示されているように、１ｘＢＳＣ６１２はＭＳＣ６１０にＨＯ完了を送信する。ステップ２１において、６６５で図示されているように、ＭＳＣ６１０は１ｘＢＳＣ６１２にＣＰＮを有する情報付きアラート（ＡＷＩ）メッセージを送信する。ステップ２２において、６６６で図示されているように、１ｘＢＳＣ６１２はＵＥ６０２にＣＰＮを含むＡＷＩメッセージを伝送する。ステップ２３において、６６８で図示されているように、ＵＥ６０２は１ｘＢＳＣ６１２に移動局（ＭＳ）のＡｃｋのための命令メッセージを伝送する。ステップ２４において、６７０で図示されているように、ＵＥ６０２はユーザによって応えられる呼アラート（例えば、リング）を実行する。ステップ２５において、６７２で図示されているように、ＵＥ６０２は１ｘＢＳＣ６１２に命令メッセージ（つまり、接続済命令）を伝送する。
【００５９】
前述のために、第４のソリューションが、ＭＳＣ６１０から１ｘＢＳＣ６１２へのＣＰＮを有するＡＷＩによって提供される。ＭＳＣは、接続メッセージが受信される前にＨＯの手順が実行された場合、もしくはそれが、ＨＯ手順が１ｘＣＳＦＢのためにＩＷＳによって実行されていると知っている場合にＡＷＩを送信する。
【００６０】
図７において、通信システム７００は、３Ｇ及び４Ｇ通信プロトコル（例えば、４ＧについてはＬＴＥ、ならびに３Ｇについては１ｘＣＳ）の両方をサポートする。ＵＥ７０２は、ＭＭＥ７０６と通信しているｅＮＢ７０４からＬＴＥサービスにアクセスしている。ＩＷＳ７０８及びＭＳＣ７１０の援助の下、ＵＥ７０２は、ＩＷＳ７０８と同じ位置に配置されていない１ｘＢＳＣ７１２へのトンネリングを介して１ｘＣＳＦＢを実行し得る。
【００６１】
ステップ１において、７２０で図示されているように、ＭＳＣ７１０はＩＷＳ７０８に特徴通知を有するページング要求を送信する。ＭＳＣにおける新たなタイマが、７２１において図示されているように、ページング要求とページング応答との間で開始される。ステップ２において、７２２で図示されているように、ＩＷＳ７０８は、ＭＭＥ７０６にＧＣＳＮＡメッセージにカプセル化されたＦＮＭを送信するために、Ａ２１エアインタフェースシグナリングメッセージを使用する。ステップ３において、ＵＥ７０２、ｅＮＢ７０４，およびＭＭＥ７０６は、７２４で図示されているように、ＵＥ７０２がサービス要求を行うときに相互動作する。ステップ４ａにおいて、ＭＭＥ７０６は、７２６で図示されているように、ｅＮＢ７０４にＧＣＳＮＡ（ＦＮＭ）を含むＤＬ  Ｃ２Ｋトンネリングメッセージで応答し、次に、ｅＮＢ７０４は、ステップ４ｂにおいて、７２８で図示されているようにＧＣＳＮＡ（ＦＮＭ）を含むＤＬ  Ｃ２Ｋ情報転送メッセージを伝送する。ＣＰＮを有するために、ＵＥは、ユーザがＣＰＮを知って、呼を承認することを可能にする。ステップ６ａにおいて、ＵＥ７０２はｅＮＢ７０４に、ＧＣＳＮＡ（命令）を含むＵＬ情報転送を伝送する。ステップ６ｂにおいて、ｅＮＢ７０４は、ＭＭＥ７０６に７３４で図示されているように、ＧＣＳＮＡ（命令）を含むＵＬ  Ｃ２Ｋトンネリングを送信する。ステップ６ｃにおいて、７３６で図示されているように、ＭＭＥ７０６は、ＩＷＳ７０８にＧＣＳＮＡ（命令）を送信するために、Ａ２１エアインタフェースシグナリングメッセージを介して送信する。それに応じて、ステップ７ａにおいて、７３８に図示されているように、ＩＷＳ７０８は、ＭＭＥ７０６にＡ２１エアインタフェースシグナリングメッセージにおいてＧＣＳＮＡ（ＧＰＭ）を送信する。ステップ７ｂにおいて、７４０で図示されているように、ＭＭＥ７０６はｅＮＢ７０４にＤＬ  Ｃ２ＫトンネリングメッセージにおいてＧＣＳＮＡ（ＧＰＭ）を送信する。ステップ７ｃにおいて、７４２で図示されているように、ｅＮＢ７０４はＵＥ７０２にＤＬ情報転送においてＧＣＳＮＡ（ＧＰＭ）を伝送する。ステップ８において、７４４で図示されているように、ＵＥ７０２はＭＭＥ７０６へのＥＳＲを行う。ステップ９において、７４６で図示されているように、ＭＭＥ７０６はｅＮＢ７０４にコンテクスト変更（１ｘＣＳＦＢ）メッセージを送信する。ステップ１０において、７４８で図示されているように、ＲＡＴ間測定がＵＥ７０２において実行され、測定結果がｅＮＢ７０４に送信される。ステップ１１において、７５０で図示されているように、ｅＮＢ７０４は、ＵＥ７０２にＥＵＴＲＡ  ＨＯ準備要求を伝送する。
【００６２】
ステップ１２ａにおいて、ＵＥ７０２は、７５２で図示されているように、ｅＮＢ７０４に、ＧＣＳＮＡ（ＰＲＭ）を含むＵＬ  ＨＯ準備転送を伝送する。ステップ１２ｂにおいて、７５４で図示されているように、ｅＮＢ７０４はＭＭＥ７０６にＵＬ  Ｃ２ＫトンネリングにおいてＧＣＳＮＡ（ＰＲＭ）を送信する。ステップ１２ｃにおいて、７５６で図示されているように、ＭＭＥ７０６は、ＩＷＳ７０８にＧＣＳＮＡ（ＰＲＭ）を送信するために、Ａ２１エアインタフェースシグナリングメッセージを使用する。ステップ１３において、７５８で図示されているように、ＩＷＳ７０８がＭＳＣ７１０にページング応答を送信し、これが新たなタイマ７２１を完了させる。ステップ１４において、７６０で図示されているように、ＭＳＣ７１０はＣＰＮを含む割り当て要求でＩＷＳ７０８に応答する。ステップ１５において、７６２で図示されているように、ＩＷＳ７０８はＭＳＣ７１０にＨＯリクワイヤードを送信する。ステップ１６において、７６４で図示されているように、ＭＳＣ７１０は１ｘＢＳＣ７１２にＨＯ要求を送信する。ステップ１７において、７６６で図示されているように、１ｘＢＳＣ７１２はＭＳＣ７１０にＨＯ要求を肯定応答（ＡＣＫ）する。ステップ１８において、７６８で図示されているように、ＭＳＣ７１０はＩＷＳ７０８にＨＯコマンドを送信する。ステップ１９において、７７０で図示されているように、ＧＣＳＮＡにカプセル化されたＵＨＤＭは、ＩＷＳ７０８からＭＭＥ７０６へ、ｅＮＢ７０４へ、そしてＵＥ７０２へ送信される。ステップ２０において、７７２で図示されているように、ＩＷＳ７０８はＭＳＣ７１０にＨＯ開始済を送信する。ステップ２１において、７７４で図示されているように、ＵＥ７０２は１ｘＢＳＣ７１２に１ｘ上でハンドオフ完了メッセージを伝送する。ステップ２２において、７７６で図示されているように、１ｘＢＳＣ７１２はＵＥ７０２に命令メッセージを伝送する。ステップ２３において、７７８で図示されているように、１ｘＢＳＣ７１２はＭＳＣ７１０にＨＯ完了を送信する。ステップ２４において、７８４で図示されているように、ＵＥ７０２は１ｘＢＳＣ７１２に命令メッセージ（つまり、接続済命令）を伝送する。
【００６３】
前述のために、第５のソリューションは、ＧＰＭが送信される前に特徴通知メッセージが送信されることを用いて提供される（ステップ２）。ＵＥもしくは移動局（ＭＳ）７０２が、ＦＮＭが受信されたときにアラートを実行する。ユーザが承認した場合、ＵＥ７０２は肯定応答するために新たなメッセージを送信する（ステップ５及び６）。ＩＷＳ７０８はその後ＧＰＭを送信する。
【００６４】
図８において、方法８００はある態様と一貫するモバイル通信環境における１ｘＣＳＦＢモバイルターミネーションを実行することのために図示されている。ベースライン部分８０１は、ユーザ機器（ＵＥ）がパケットデータ通信用の無線アクセスネットワーク（ＲＡＮ）（「ＰＳ  ＲＡＮ」）に接続される状況が回線交換通信（つまり、回線交換ネットワーク）用のＲＡＮ（「１ｘ  ＲＡＮ」）にフォールバックする必要があることを説明している。ブロック８０２において、モバイルターミネーション呼は移動通信交換局（ＭＳＣ）で受信される。インターワーキングソリューション（ＩＷＳ）及び１ｘ基地局制御装置（１ｘＢＳＣ）がＲＡＮで同じ位置に配置されていないためにＵＥへの呼についての発呼者番号（ＣＰＮ）を得る必要性が存在する（ブロック８０５）。ＭＳＣはＩＷＳとの１ｘページング手順をトリガする（ブロック８０６）。  ＩＷＳは１ｘＣＳＦＢモバイルターミネーション手順をトリガする（ブロック８０８）。ＵＥはトンネルを介してページングされる（ブロック８１０）。ＩＷＳはトンネルを介してチャネル割り当て用の１ｘメッセージを送信する（ブロック８１２）。ＵＥは１ｘにフォールバックし、呼をセットアップする（ブロック８１４）。
【００６５】
ソリューション１
８１６で図示されている態様において、ブロック８１０の後に、ＩＷＳは、ＣＰＮを相互動作可能な仕様（ＩＯＳ）のＨＯメッセージに加えることによって対象のＢＳＣ（１ｘＢＳＣ）との１ｘハンドオフ（ＨＯ）手順を実行する。その後、ブロック８１２において処理が継続する。
【００６６】
ソリューション２
８２０で図示されている態様において、ブロック８１０の後、ＩＷＳはチャネル割り当て用の１ｘメッセージを送信し、トンネルを介してＣＰＮを配送する。ＵＥは、１ｘへ移行し、トラフィックチャネルを獲得するまでＣＰＮを格納する（ブロック８２４）。その後、ブロック８１４において処理が継続する。
【００６７】
ソリューション３
８２６において図示されている態様において、ブロック８０６の後、ＩＷＳはＭＳＣからＣＰＮを有するページングメッセージを受信する（ブロック８２８）。ＣＰＮを有する１ｘレイヤ３メッセージ及びページングメッセージは同時にＧＣＳＮＡのデータトンネリングを介して送信される（ブロック８３０）。ＵＥはトンネルを介してページングされ、ＵＥが１ｘに移行するまでＣＰＮを格納する（ブロック８３２）。その後、ブロック８１２において処理が継続する。
【００６８】
ソリューション４
８３４において図示されている態様において、ブロック８１０の後、ＩＷＳは対象のＲＡＮ（１ｘＲＡＮ）との１ｘＨＯ手順を実行する（ブロック８３６）。ＩＷＳはトンネルを介してチャネル割り当て用の１ｘメッセージを送信する（ブロック８３８）。ＭＳＣは、対象のＢＳＣ（１ｘＢＳＣ）にＣＰＮを有する情報付きアラートメッセージを送信する（ブロック８４０）。その後、ブロック８１４において処理が継続する。
【００６９】
ソリューション５
８４２において図示されている態様において、ブロック８０６の後、ＩＷＳはＭＳＣからＣＰＮを有するメッセージを伴うページングメッセージを受信する（ブロック８４４）。ＣＰＮを有する１ｘレイヤ３メッセージはトンネルを介してＵＥに送信される（ブロック８４６）。ＵＥは１ｘレイヤ３メッセージを処理する（ブロック８４８）。ＵＥはユーザにＣＰＮを用いてアラートする（ブロック８５０）。ＵＥはモバイルでターミネートされる呼のユーザの承認を受信する（ブロック８５２）。ＩＷＳは、承認を示す別の１ｘレイヤ３メッセージをＵＥからトンネルを介して受信する（ブロック８５４）。ＩＷＳは、承認を肯定応答するページングメッセージをＵＥにトンネルを介して送信する（ブロック８５６）。その後、ブロック８１０において処理が継続する。
【００７０】
図９において、シグナリングフロー９００は、ｅノードＢ９０６として図示されているＥＵＴＲＡＮパケットデータサービスから、１ｘＲＴＴ  ＣＳアクセス９０８からのサービスへ移動し始めているＬＴＥ／１ｘのＵＥ９０２として図示されているＵＥについて図示されている。ＵＥ９０２は、ｅノードＢ９０６とのエアリンク９１０を介して送信及び受信する。ｅノード９０６は、Ｓ１−Ｕインタフェースを介して、サービス／ＰＤＮゲートウェイ（ＧＷ）９１２に通信し、ならびにＳ１−ＭＭＥインタフェースを介してＭＭＥ９１４に通信する。ＭＭＥ９１４はまた、Ｓ１１インタフェースを介してサービス／ＰＤＮ  ＧＷ９１２と通信し、ならびにＳ１０２を介して１ｘＣＳ  ＩＷＳ９１６と通信する。１ｘＣＳ  ＩＷＳ９１６は、次にＡ１エアインタフェースを介して１ｘＲＴＴ  ＭＳＣ９１８と通信する。１ｘＲＴＴ  ＣＳアクセス９０８はＡ１／Ａ２エアインタフェースを介して１ｘＲＴＴ  ＭＳＣ９１８と通信する。ＵＥ９０２は、９２０で図示されているデータトンネルによって、ｅノードＢ９０６及びＭＭＥ９１４を介して１ｘＣＳ  ＩＷＳ９１６へと１ｘＲＴＴメッセージを実行する。
【００７１】
ＭＭＥ９１４はＡ２１インタフェースのエンドポイントとして動作し、Ａ２１プロトコルを理解する。ＭＭＥ９１４はまた、ＵＥ９０２への、もしくはＵＥ９０２からのＧＣＳＮＡ  ＰＤＵを転送するためにｅノードＢ９０６へのトランスポートを提供する。
【００７２】
１ｘオーバヘッドパラメータ（例えば、登録パラメータ、ＲＡＮＤなど）のサブセットはｅノードＢ９０６において事前にプロビジョニングされる。ＣＤＭＡ２０００に関連する情報はＳＩＢ８及びユニキャストメッセージによって提供される。ＣＤＭＡシステムタイムは、呼セットアップ時間のためのより良いパフォーマンスを提供するためにＳＩＢ８において提供される。
【００７３】
１ｘＣＳ  ＩＷＳ９１６は１ｘＲＴＴ  ＭＳＣ９１８からはＢＳＣとして認識される。それはＡ２１インタフェースプロトコルを使用してＭＭＥと相互動作する。Ｓ１０２はＡ２１に基づく。
【００７４】
図１０は、ＨＯベースの１ｘＣＳＦＢの間、ＵＥにＣＰＮを通信する処理システム１０１４を用いる装置１０００のためのハードウェア実装の例を例示する概念図である。この例において、処理システム１０１４は、概してバス１００２によって表されるバスアーキテクチャとともに実装され得る。バス１００２は、処理システム１０１４の特定のアプリケーションと全体の設計制限に基づいて、任意の数の相互接続するバス及びブリッジを含み得る。バス１００２は概してプロセッサ１００４によって表される１つ又は複数のプロセッサ、及び概してコンピュータ読取可能媒体１００６によって表されるコンピュータ読取可能媒体を含む様々な回路を互いにリンクする。バス１００２はまた、タイミングソース、周辺機器、電圧調節器、及び電力管理回路のような様々な他の回路もリンクし得、これらは当技術分野では周知であり、従ってこれ以上は説明されない。バスインタフェース１００８はバス１００２とトランシーバ１０１０との間のインタフェースを提供する。トランシーバ１０１０は伝送媒体を介して様々な他の装置と通信するための手段を提供する。装置の本質に基づいて、ユーザインタフェース１０１２（例えば、キーパッド、ディスプレイ、スピーカ、マイクロフォン、ジョイスティックなど）が提供され得る。
【００７５】
プロセッサ１００４は、コンピュータ読み取り可能媒体１００６に格納されるソフトウェアの実行を含む、一般的な処理、ならびにバス１００２を管理することを担っている。プロセッサ１００４によって実行されるとき、ソフトウェアは、処理システム１０１４に任意の特定の装置用に以下で説明される様々な機能を実行させる。コンピュータ読取可能１００６はまた、ソフトウェアを実行するときプロセッサ１００４によって操作されるデータを格納するために使用され得る。
【００７６】
ある態様において、コンピュータ読取可能媒体１００６に備わり、プロセッサ１００４によって実行されるＣＰＮを有する１ｘＣＳＦＢ用のコントローラ１０３０は、セルラー式通信システムにおいて１ｘ回線交換フォールバック（１ｘＣＳＦＢ）を実行する。特にコントローラ１０３０は、ＨＯベースの１ｘＣＳＦＢにおいてＵＥでのアラートを実際にトリガする対象の１ｘＣＳ  ＢＳＣでＣＰＮが知られることを確実にする。加えて、コントローラ１０３０は、呼が拒絶されたときにＵＥがＥＵＴＲＡＮサービスを離れる必要がないように、ＵＥが１ｘＣＳに同調する前にＣＰＮがユーザにディスプレイされ得ることを提供する。
【００７７】
図１１を参照すると、セルラー式通信システムにおける１ｘ回線交換フォールバック（１ｘＣＳＦＢ）のためのシステム１１００が例示される。例えば、システム１１００は、セルラー式通信システムの一部として少なくとも部分的にネットワークエンティティ内に備わり得る。システム１１００は、コンピューティングプラットホーム、プロセッサ、ソフトウェア、もしくはそれらの組み合わせ（例えば、ファームウェアなど）によって実行される機能を示す機能ブロックであり得る機能ブロックを含むように示されていることは認識されるべきである。システム１１００は、関連して動作し得る電気コンポーネントの論理分類１１０２を含む。例えば、論理分類１１０２は、ＵＥに発呼者番号（ＣＰＮ）を通信するための第１のモジュール、もしくは電気コンポーネント１１０４を含み得る。例えば、論理分類１１０２は、ユーザ機器に発呼者番号を通信するための第２のモジュール、もしくは電気コンポーネント１１０６を含み得る。加えて、システム１１００は、電気コンポーネント１１０４−１１０６と関連付けられた機能を実行するための命令を保持するためのメモリ１１２０を含み得る。メモリ１１２０の外部にあるように表されているけれども、１つ又は複数の電気コンポーネント１１０４−１１０６はメモリ１１２０内に存在し得ることは理解されるべきである。
【００７８】
前述のために、本開示はインターワーキングソリューションにおいて、パケット交換ネットワークを使用するソース無線アクセスネットワークから回線交換ネットワークを使用する対象の無線アクセスネットワークへのユーザ機器のフォールバックを検出することによって、ならびに発呼者番号をユーザ機器に通信することによって、セルラー通信システムにおいて１ｘ回線交換フォールバックのモバイルターミネーションを実行することを提供する。
【００７９】
第１の態様において、ユーザ機器に発呼者番号を通信することは、移動通信交換局を介してインターワーキングソリューションから対象の無線アクセスネットワークへ送信される相互動作可能な仕様のハンドオーバメッセージに発呼者番号を加えること、及び発呼者番号を有する１ｘレイヤ３メッセージをユーザ機器に送信することを更に備える。
【００８０】
第２の態様において、発呼者番号をユーザ機器に通信することは、ユーザ機器が１ｘへ移行し、トラフィックチャネルを獲得するまでユーザ機器において格納するために、ユーザ機器にデータトンネリングを介して送信されるインターワーキングソリューションによるチャネル割り当て用の１ｘレイヤ３メッセージを用いて発呼者番号を送信することを更に備える。特定の態様において、発呼者番号を送信することは、１ｘハンドオフメッセージと同時に包括的回線サービス通知アプリケーションのデータトンネリングを介して発呼者番号を有する１ｘレイヤ３メッセージを送信することを更に備える。
【００８１】
第３の態様において、ユーザ機器に発呼者番号を通信することは、インターワーキングソリューションで移動通信交換局から発呼者番号を有するページングメッセージを受信し、ページングマッチを実行するためにユーザ機器に包括的回線サービス通知アプリケーションのデータトンネリングを介して発呼者番号を有する１ｘレイヤ３メッセージ及びページングメッセージを同時に送信することと、発呼者番号を有する１ｘレイヤ３メッセージを処理することと、及びトラフィックチャネルが１ｘネットワークにおいて割り当てられた後でディスプレイするために発呼者番号を格納することとを更に備える。
【００８２】
第４の態様において、ユーザ機器へ発呼者番号を通信することは、接続メッセージを受信する前に、１ｘ回線交換フォールバック手順の一部としてハンドオーバの実行に応じて移動通信交換局から対象の無線アクセスネットワークへ発呼者番号を有する情報付きアラートを送信することと、及び発呼者番号を有する１ｘレイヤ３メッセージをユーザ機器に送信することを更に備える。特定の態様において、移動通信交換局は、回線交換フォールバック及び元来の回線交換動作の両方の間に発呼者番号を有する情報付きアラートを送信する。
【００８３】
第５の態様において、ユーザ機器に発呼者番号を通信することは、インターワーキングソリューションで移動通信交換局から発呼者番号を有するメッセージを伴うページングメッセージを受信することと、第１にユーザ機器に包括的回線サービス通知アプリケーションのデータトンネリングを介して発呼者番号を有する１ｘレイヤ３メッセージを送信することと、１ｘレイヤ３メッセージを処理することと、発呼者番号を用いてアラートすることと、ユーザがモバイルでターミネートされる呼を承認するときインターワーキングソリューションへ別の１ｘレイヤ３メッセージを送信することと、ユーザ機器が発呼者番号の承認を示すことに応じて肯定応答するためにユーザ機器に包括的回線サービス通知アプリケーションのデータトンネリングを介して１ｘレイヤ３のページングメッセージを送信することとを更に備える。
【００８４】
当業者は更に、本明細書に開示された態様と関係して記述されている様々な実例となる論理ブロック、モジュール、回路、アルゴリズムステップが電子ハードウェア、コンピュータソフトウェア又は両方の組み合わせとして実行されることを認識するであろう。このハードウェアとソフトウェアの互換性を明確に示すために、様々な実例となるコンポーネント、ブロック、モジュール、回路、ステップが、それらの機能性という観点から一般的に上に記述されている。ハードウェア、又は、ソフトウェアとしてそのような機能性が実行されるか否かは、特定のアプリケーションとシステム全体に課された設計制約とに依存する。当業者は特定アプリケーションごとに様々な方法で上に記述された機能性を実行することができるが、このような実行の決定は本開示の範囲からの逸脱の原因になるとして解釈されるべきではない。
【００８５】
更には、様々な態様がモバイルデバイスと関係して本明細書で説明される。モバイルデバイスは、システム、加入者ユニット、加入者局、移動局、モバイルデバイス、セルラー式デバイス、マルチモードデバイス、遠隔局、遠隔端末、アクセス端末、ユーザ端末、ユーザエージェント、ユーザデバイス、もしくはユーザ機器などとも呼ばれ得る。加入者局は、セルラー式電話、コードレス電話、セッション初期化プロトコル（ＳＩＰ）電話、無線ローカルループ（ＷＬＬ）局、パーソナルデジタルアシスタント（ＰＤＡ）、ワイヤレス接続機能を有する携帯型デバイス、処理デバイスとのワイヤレス通信を容易にするワイヤレスモデムもしくは類似のメカニズムに接続されたその他の処理デバイスであり得る。
【００８６】
本出願で使用されているように、「コンポーネント」、「モジュール」、「システム」などという用語は、ハードウェア、ハードウェアとソフトウェアの組み合わせ、ソフトウェア、もしくは実行中のソフトウェアのいずれかのような、コンピュータ関連のエンティティを表すように意図されている。例えば、コンポーネントは、限定はされないが、プロセッサ上で動作する処理、プロセッサ、オブジェクト、実行可能ファイル、実行のスレッド、プログラム、及び／もしくはコンピュータであり得る。例示として、サーバ上で動作するアプリケーション及びサーバの両方がコンポーネントであり得る。１つ又は複数のコンポーネントは、プロセス及び／もしくは実行のスレッド内に備わり得、コンポーネントは１つのコンピュータにローカライズされ、ならびに／あるいは２つ以上のコンピュータ間で分配され得る。
【００８７】
「例示的（ｅｘｅｍｐｌａｒｙ）」という用語は、「実例、事例、又は例証として提供される」を意味するために本明細書で使用される。「例示的」として本明細書に記述されている任意の態様又は設計は、必ずしも他の態様又は設計よりも有利又は優先されるとして解釈されるわけではない。
【００８８】
様々な態様が、多数のコンポーネント、モジュールなどを含み得るシステムの点から表されることになる。様々なシステムが追加のコンポーネント、モジュールを含み得、ならびに／もしくは図面と関係して論じれたコンポーネント、モジュールなどの全てを含まない場合があることは理解及び認識されるべきである。これらの手法の組み合わせもまた使用され得る。本明細書で開示される態様は、タッチスクリーンディスプレイ技術、及び／もしくはマウスとキーボードタイプのインタフェースを利用するデバイスを含む電子デバイス上で実行され得る。そのようなデバイスの例は、コンピュータ（デスクトップ及びモバイル）、スマートフォン、パーソナルデジタルアシスタント（ＰＤＡ）、及び有線及びワイヤレスの他の電子デバイスを含む。
【００８９】
加えて、本明細書に開示された態様と関連して記述される様々な実例となる論理ブロック、モジュール、回路は、汎用のプロセッサ、デジタル信号プロセッサ（ＤＳＰ）、特定用途向けＩＣ（ＡＳＩＣ）、書替え可能ゲートアレイ（ＦＰＧＡ）又は他のプログラマブル論理デバイス、ディスクリートゲート又はトランジスタ論理、ディスクリートハードウェアコンポーネント、もしくは、本明細書に記述された機能を実行するよう設計されたこれらの任意の組み合わせと一緒に実行又は実行され得る。汎用プロセッサはマイクロプロセッサであり得るが、代替で、プロセッサは任意の従来のプロセッサ、コントローラ、マイクロコントローラ、もしくはステートマシンであり得る。プロセッサはまた、例えば、ＤＳＰとマクロプロセッサ、複数のマイクロプロセッサ、ＤＳＰコアに連結した１つもしくは複数のマイクロプロセッサ、その他の上記構成の組み合わせといったコンピューティングデバイスの組み合わせとしても実装され得る。
【００９０】
更には、１つ又は複数のバージョンが、ソフトウェア、ファームウェア、ハードウェア、もしくは開示された態様を実行するようにコンピュータを制御するためのそれらの任意の組み合わせを生み出すために標準のプログラミング及び／もしくはエンジニアリング技法を使用する方法、装置、もしくは製品として実行され得る。本明細書で使用されている製品（もしくは代わりとして「コンピュータプログラム製品」）という用語は、あらゆるコンピュータ読取可能デバイス、キャリア、又は媒体からアクセス可能なコンピュータプログラムを包含することが意図されている。例えば、コンピュータ読取可能媒体は、限定されないが、磁気記憶デバイス（例えば、ハードディスク、フロッピー（登録商標）ディスク、磁気ストリップなど）、光学ディスク（例えば、コンパクトディスク（ＣＤ）、デジタルバーサタイルディスク（ＤＶＤ）など）、スマートカード、及びフラッシュメモリデバイス（例えば、カード、スティックなど）を含み得る。加えて、キャリア波は、電子メールを送信及び受信する際、もしくはインターネットあるいはローカルエリアネットワーク（ＬＡＮ）のようなネットワークにアクセスする際に使用されるもののようなコンピュータ読取可能電子データを搬送するために用いられ得ることは認識されるべきである。言うまでもなく、当業者は開示された態様の範囲から逸脱することなく、多くの変更がこの構成になされ得ることは認識されることになる。
【００９１】
本明細書で開示される態様に関係して説明される方法もしくはアルゴリズムのステップは、直接的にハードウェアに、プロセッサによって実行されるソフトウェアモジュールに、又は、それら二つの組み合わせに組み込まれ得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取外し可能ディスク、ＣＤ−ＲＯＭ、又は、当技術分野において周知の記憶媒体のあらゆる他の形態に存在し得る。例示的な記憶媒体は、プロセッサが記憶媒体から情報を読み取り、記憶媒体に情報を書き込むことができるように、プロセッサに結合される。代替において、記憶媒体はプロセッサに一体化され得る。プロセッサおよび記憶媒体はＡＳＩＣに存在し得る。ＡＳＩＣはユーザ端末に存在し得る。代替において、プロセッサおよび記憶媒体は、個別コンポーネントとして、ユーザ端末に存在し得る。
【００９２】
当業者が本開示を実施および使用することを可能にするために、開示された態様の以上の記述は提供される。これらの態様に対する様々な変更は当業者には容易に明らかであり、本明細書において定義された包括的な原理は、本開示の精神又は範囲を逸脱することなく他の実施例に適用可能である。従って、本開示は、本明細書に示された実施例に制限されることを企図せず、本明細書に開示された原理および新規な特徴と合致する最も広い範囲が与えられるべきである。
【００９３】
上に記述された例示的なシステムの観点から、開示された主題に従って実行され得る方法が、いくつかのフロー図に関して記述されている。説明の簡潔さのために、この方法は、一連のブロックで提示および記述されているが、いくつかのブロックは、本明細書に描写および記述された動作とは異なる順序で、および／又は、他のブロックと共に生じ得るため、請求される主題がこのブロックの順序によって制限されないことは理解および認識されるべきである。更に、本明細書に記述された方法を実行するために、提示された全てのブロックが要求されるわけでない。加えて、本明細書で開示される方法が、コンピュータへのそのような方法の移送および転送を容易にするために、製品（ａｒｔｉｃｌｅ  ｏｆ  ｍａｎｕｆａｃｔｕｒｅ）に記憶可能であることは更に認識されるべきである。製品という用語は、本明細書で使用される場合、あらゆるコンピュータ可読デバイス、キャリア、又は媒体からアクセス可能なコンピュータプログラムを包含することを企図する。
【００９４】
本明細書において参照により組み込まれていると記されている特許、公報、もしくは他の開示のマテリアルの何れも、全体的に、もしくは部分的に、組み込まれたマテリアルが、本開示で記述されている既存の定義、主張、もしくは他の開示のマテリアルと対立しない範囲でのみ本明細書に組み込まれていることは認識されるべきである。このように、そして必要な範囲で、本明細書で明示的に記述されている開示は、参照により本明細書に組み込まれた対立するマテリアルの何れにも優先する。参照により本明細書に組み込まれていると記されているが、本明細書で本明細書に記述されている既存の定義、主張、もしくは他の開示のマテリアルと対立するマテリアルのいずれも、もしくはそれらの一部は、組み込まれたマテリアルと既存の開示のマテリアルとの間に対立が生じない範囲でのみ組み込まれることになる。
【図１】
2013529034.tif 000003
【図２Ａ】
2013529034.tif 000004
【図２Ｂ】
2013529034.tif 000005
【図２Ｃ】
2013529034.tif 000006
【図２Ｄ】
2013529034.tif 000007
【図２Ｅ】
2013529034.tif 000008
【図３】
2013529034.tif 000009
【図４】
2013529034.tif 000010
【図５】
2013529034.tif 000011
【図６】
2013529034.tif 000012
【図７】
2013529034.tif 000013
【図８】
2013529034.tif 000014
【図９】
2013529034.tif 000015
【図１０】
2013529034.tif 000016
【図１１】
2013529034.tif 000017
【国際調査報告】
2013529034.tif 000018
2013529034.tif 000019
2013529034.tif 000020